(57)【要約】【課題】  画像読取部を支持する支持部をより簡単な構成とする。【解決手段】  第一支柱部３００の上面３００Ａは、画像読取部２００の奥側隅部を受けている。このため、画像読取部２００は、第一支柱部３００の上面３００Ａを中心に正面側に回転する力が働くが、上面３００Ａより正面側にある第一支柱部３００の側面３００Ｂで、画像読取部２００の垂下部２０４の側面２０４Ｂを受けて支えている。更に、回転中心である支点（上面３００Ａ）と作用点である垂下部２０Ａの側面２０４Ｂを受ける側面３００Ｂとが離れているので、モーメントが大きくなる。このため、回転する方向に大きな力が加わっても、すなわち、重量の重い画像読取部２００であっても、支えることができる。したがって、画像読取部２００が略水平状態となる位置を維持できる。また、例えば、画像読取部２００を積載する積載部が無く、第一支持部２００の構成が簡単である。【選択図】        図１７
2006227065.tif 000002
【特許請求の範囲】
【請求項１】
画像読取部を支持する支柱部によって、前記画像読取部を画像形成部の上面に対して間隔を持って配置させると共に、前記画像読取部を片持状に配置させた画像形成装置であって、
前記支柱部は、上面と側面とで前記画像読取部を受けることを特徴とする画像形成装置。
【請求項２】
前記画像読取部は、下面から垂下した垂下部を備え、
前記支柱部は、上面で前記画像読取部の下面を受け、側面で該画像読取部の前記垂下部を受けることを特徴とする請求項１に記載の画像形成装置。
【請求項３】
前記画像読取部は、前記支柱部とヒンジで連結され、略水平状態から上方に回動可能に構成され、
前記画像読取部が略水平状態となる回動位置で、前記支柱部の前記側面が、該画像読取部の前記垂下部を受けることを特徴とする請求項１、又は請求項２に記載画像形成装置。
【請求項４】
前記支柱部は、前記画像読取部に形成された凸部が挿入される挿入部を備えることを特徴とする請求項１から請求項３のいずれか１項に記載の画像形成装置。
【請求項５】
請求項３に記載の前記ヒンジは、前記画像読取部と前記凸部とを連結していることを特徴とする請求項４に記載の画像形成装置。
【請求項６】
前記支柱部は、
前記画像形成部の筐体の側面に固定され、前記画像読取部を支持し、前記挿入部を備える第一支持部と
前記第一支持部から前記片持状に配置された前記画読取部と同方向に延びる第二支持部と、
を備え、
前記筐体の前記側面には、前記第二支持部を固定する受部が設けられていることを特徴とする請求項４、又は請求項５に記載の画像形成装置。
【請求項７】
前記受部は、前記筐体の前記側面に固定され、該側面から立設する枠体であり、
前記第二支持部は、前記枠体に固定されることを特徴とする請求項６に記載の画像形成装置。
【請求項８】
前記画像読取部と前記画像形成部とを電気的に接続する電線が、前記支柱部の内部に配線されていることを特徴とする請求項１から請求項７のいずれか１項に記載の画像形成装置。
【発明の詳細な説明】
【技術分野】
【０００１】
本発明は、画像形成装置に関する。
【背景技術】
【０００２】
用紙給紙ユニットの上面に画像形成ユニットが搭載され、この画像形成ユニットの上方に画像読取ユニットを配置した画像形成装置がある。そして、用紙給紙ユニットの背面に画像読取ユニットを支持する支持体を固定する構成が提案されている。
【０００３】
このような構成とすることで、画像形成ユニット、及び用紙給紙ユニットの移動に伴い、支持体に支持された画像読取ユニットも一体となって移動することができる。また、用紙給紙ユニットは、画像形成装置の最下部に位置しており、更に、内部に用紙を収容するので、画像読取ユニットに比較して十分に重い。よって、支持体を介して画像読取ユニットは安定した状態となる。更に、支持体には画像形成ユニット及び用紙給紙ユニットの重量は作用しないので、支持体は画像読取ユニットの重量のみを支持する強度を備えれば良い。よって、支持体の構造を単純にすることができる。（例えば、特許文献１参照）。
【特許文献１】特開２００１−２０３８４０号公報
【発明の開示】
【発明が解決しようとする課題】
【０００４】
しかしながら、特開２００１−２０３８４０号公報の図８に記載されているように、支持体の画像形成ユニットを積載する積載部分は、一対の積載部材と、これら一対の積載部材とを接合する接合部材と、で構成されており、構成が複雑であった。また、このため高コストでもあった。
【０００５】
本発明は、上記問題を解決すべく成されたもので、画像読取部を支持する支持部を、より簡単な構成とすることを目的とする。
【課題を解決するための手段】
【０００６】
請求項１に記載の画像形成装置は、画像読取部を支持する支柱部によって、前記画像読取部を画像形成部の上面に対して間隔を持って配置させると共に、前記画像読取部を片持状に配置させた画像形成装置であって、前記支柱部は、上面と側面とで前記画像読取部を受けることを特徴としている。
【０００７】
請求項１に記載の画像形成装置は、支柱部の上面と側面とで画像読取部を受けている。したがって、例えば、画像形成部を積載する積載部が無く、支柱部の構成が簡単である。
【０００８】
また、画像形成部と画像読取部との間は、支柱部以外は、あいている構成である。このような構成とすることによって、例えば、画像形成部と画像読取部との間隔に排出された用紙を取り出すことが容易となるとともに、デザイン的に優れている。
【０００９】
請求項２に記載の画像形成装置は、請求項１に記載の構成において、前記画像読取部は、下面から垂下した垂下部を備え、前記支柱部は、上面で前記画像読取部の下面を受け、側面で該画像読取部の前記垂下部を受けることを特徴としている。
【００１０】
請求項２に記載の画像形成装置は、画像読取部の下面から垂下した垂下部を備え、支柱部は、上面で画像読取部の下面を受け、側面で画像読取部の垂下部を受けている。つまり、支柱部の上面と側面とで、画像形成装置の加重を受ける構成となっている。したがって、例えば、画像形成部を積載する積載部が無く、支柱部の構成が簡単である。
【００１１】
なお、回転中心である支点と作用点である垂下部を受ける側面とが離れているので、モーメントが大きくなる。このため、回転する方向に大きな力が加わっても、すなわち、重量の重い画像読取部であっても、支えることができる。
【００１２】
尚、画像読取部の下面から垂下した垂下部とは、前記支柱部の側面に当接するように画像読取部の下面に形成された部位であれば良く、形状、位置、及び大きさは適宜変更可能である。
【００１３】
また、画像形成部と画像読取部との間は、支柱部と垂下部以外は、あいている構成である。このような構成とすることによって、例えば、画像形成部と画像読取部との間隔に排出された用紙を取り出すことが容易となるとともに、デザイン的に優れている。
【００１４】
請求項３に記載の画像形成装置は、請求項１、又は請求項２に記載の構成において、前記画像読取部は、前記支柱部とヒンジで連結され、略水平状態から上方に回動可能に構成され、前記画像読取部が略水平状態となる回動位置で、前記支柱部の前記側面が、該画像読取部の前記垂下部を受けることを特徴としている。
【００１５】
請求項３に記載の画像形成装置は、ヒンジによって、画像読取部は略水平状態から上方に回動し、画像読取部が退避する。よって、退避した空間を、例えば、交換部品の交換などに利用することができる。
【００１６】
更に、画像読取部が略水平状態となる回動位置で、支柱部の側面が画像読取部の垂下部を受けるので、水平状態を容易に維持できる。
【００１７】
請求項４に記載の画像形成装置は、請求項１から請求項３のいずれか１項に記載の構成において、前記支柱部は、前記画像読取部に形成された凸部が挿入される挿入部を備えることを特徴としている。
【００１８】
請求項４に記載の画像形成装置は、画像読取部に形成された凸部を挿入部に挿入し、組み付けられる。したがって、画像読取部の組み付け作業が容易である。
【００１９】
請求項５に記載の画像形成装置は、請求項４に記載の構成において、請求項３に記載の前記ヒンジは、前記画像読取部と前記凸部とを連結していることを特徴としている。
【００２０】
請求項５に記載の画像形成装置は、画像読取部と凸部とをヒンジで連結しているので、挿入時において、画像読取部の姿勢を任意にできる。よって、組み付け作業（挿入作業）をやりやすい。
【００２１】
請求項６に記載の画像形成装置は、請求項４、又は請求項５に記載の構成において、前記支柱部は、前記画像形成部の筐体の側面に固定され、前記画像読取部を支持し、前記挿入部を備える第一支持部と、前記第一支持部から前記片持状に配置された画像読取部と同方向に延びる第二支持部と、を備え、前記筐体の前記側面には、前記第二支持部を固定する受部が設けられていることを特徴としている。
【００２２】
請求項６に記載の画像形成装置は、画像形成部の筐体の側面に固定され画像読取部を支持する第一支持部と、第一支持部から片持状に配置された画像読取部と同方向に延びる第二支持部と、を支柱部が備えている。また、筐体の側面には、第二支持部が固定される受部が設けられている。
【００２３】
したがって、筐体の側面は、第一支持体部と第二支持部とで構成する略三角形の領域に力がかかるので、筐体の側面が歪みにくい。また、支持体が倒れる方向に力が加わっても、第二支持部を受部が受けているので、筐体の側面が歪まない。つまり、画像形成部の筐体の側面に画像読取部を支持する支持体を固定しても、筐体の側面が歪みにくい。
【００２４】
請求項７に記載の画像形成装置は、請求項５に記載の構成において、前記受部は、前記筐体の前記側面に固定され、該側面から立設する枠体であり、前記第二支持部は、前記枠体に固定されることを特徴としている。
【００２５】
請求項７に記載の画像形成装置は、筐体の側面に固定され、側面から立設する枠体の側辺部に第二支持部が固定される。よって、枠体も支持体と一体となって、画像読取部を支持する。
【００２６】
したがって、筐体の側面は、第一支持体部と第二支持部とで構成する略三角形の広い領域に加え、枠体の領域にも力がかかるので、より強固に固定されるとともに、筐体の側面がより歪みにくい。
【００２７】
請求項８に記載の画像形成装置は、請求項１から請求項７のいずれか１項に記載の構成において、前記画像読取部と前記画像形成部とを電気的に接続する電線が、前記支柱部の内部に配線されていることを特徴としている。
【００２８】
請求項８に記載の画像形成装置は、画像読取部と画像形成部とを電気的に接続する電線が、支柱部の内部に配線されているので、別途、配線の取り回しスペースが必要ない。よって、省スペース化されている。
【００２９】
また、請求項４の構成の場合、電線を回動中心であるヒンジの近傍に配線できる。このため、画像読取部が開いた状態と水平状態とで、必要とする電線の長さの差が少ない。よって、電線の取り回し（配線）が容易である。
【００３０】
更に、電線が露出していないので、外観上も好ましい。
【発明の効果】
【００３１】
以上説明したように本発明によれば、支柱部の上面と側面とで、画像読取部の加重を受ける構成としたので、支柱部の構成が簡単である。
【発明を実施するための最良の形態】
【００３２】
図１、図３に示すように、本発明の実施形態の画像形成装置の一例としてのデジタル複写機１０は、画像形成部１００の上面である排紙トレイ４０に間隔を持って、片持状に画像読取部２００が配置されている構成となっている。画像読取部２００は、原稿を読み取り、デジタル画像データに変換する。画像形成部１００は、画像読取部２００で読み取られたデジタル画像データに基づいて、マゼンタ（Ｍ）、イエロー（Ｙ）、シアン（Ｃ）及びブラック（Ｋ）の各色トナーを用いて、公知の電子写真プロセスによって、記録紙Ｐにフルカラー画像を形成する。また、図３に示すユーザーが各種操作を行う操作パネル１１側が正面側であり、反対側が奥側である。
【００３３】
まず、画像読取部２００について説明する。
【００３４】
図２、図３に示すように、画像読取部２００は、平面視すると略四角形状をし、奥側の二つの隅部が、画像形成部１００の奥側隅部に立設する２本の第一支柱部３００と第二支柱部３０２の上に取り付けられている。
【００３５】
図２に示すように、画像読取部２００の上部の押さえ板２０２は回動して開く。押さえ板２０２の下には、上面に原稿を載置するプラテンガラス等からなる透明な原稿台２０８が備えられている。また、押さえ板２０２の上部には、自動原稿送り装置２０６が設けられている。原稿台２０８の下方には原稿台２０８に載置された原稿を読み取るＣＣＤ等からなる読取バー２１０を備えている。読取バー２１０は、正面側から奥側に細長い。また、走査駆動機構２１２によって、矢印Ｗ方向に走査し、原稿台２０８に載置された原稿の画像を読み取る。
【００３６】
図２に示すように、画像読取部２００の側端部に沿って、側端部が底辺となる逆三角形状の垂下部２０４、２０５が形成されている。
【００３７】
また、図４、図５、図１７に示すように、画像読取部２００と突出部２２０、２２２とは、ヒンジ２２４、２２６（図１２（Ａ）参照）によって連結され、画像読取部２００は、略水平状態（図４）と開いた状態（図５）とに回動する。そして、図５に示すように、この画像読取部２００全体が回動して開くと、画像形成部１００の正面側の上方から退避し、正面側の上方に空間ができる。
【００３８】
図１７に示すように、画像読取部２００が略水平状態（閉じた状態）では、画像読取部２００の隅部の下面２００Ａを第一支柱部３００の上面３００Ａが受け、更に、垂下部２０４の側面部２０４Ｂを第一支柱部３００の側面３００Ｂが受ける構成となっている。なお、図示は省略するが、反対側の側面も、同様に、画像読取部２００の隅部の下面２００Ａを第二支柱部３０２の上面３０２Ａが受け、更に、垂下部２０５の側面部２０５Ｂを第二支柱部３０２の側面３０２Ｂが受ける構成となっている。
【００３９】
つぎに、画像形成部１００の構成の概要と記録紙Ｐにカラー画像の形成を行うプロセスの概要とを説明する。
【００４０】
図１に示すように、画像形成部１００の略中心に、感光体ドラム１２が回転可能に配設されている。そして、画像形成部１００の正面側（右側）に、回転式現像装置５０が配設されている。
【００４１】
感光体ドラム１２は、矢印Ａ方向に回転する。また、感光体ドラム１２の表面は、感光体ドラム１２の下側に配置された帯電器１４によって、所定の電位に帯電された後、感光体ドラム１２の下方に配置された光走査装置１６から出射されたレーザビームＬによって露光が行われ、前述した画像読取部２００で読み取った原稿のデジタル画像データに基づいた潜像が形成される。
【００４２】
感光体ドラム１２の表面に形成された潜像は、回転式現像装置５０の周方向に沿って配置され、マゼンタ（Ｍ）、イエロー（Ｙ）、シアン（Ｃ）及びブラック（Ｋ）の各色の現像器５２Ｙ，５２Ｍ，５２Ｃ，５２Ｋによって現像され、所定の色のトナー像となる。なお、各現像機５２Ｙ，５２Ｍ，５２Ｃ，５２Ｋは、交換可能なトーカートリッジ５４Ｙ，５４Ｍ，５４Ｃ，５４Ｋを備えている。
【００４３】
感光体ドラム１２の表面に形成されたトナー像は、複数のロール１８と転写ロール３５とで張架され、矢印Ｃ方向に回転する中間転写ベルト３０に１次転写される。なお、１次転写されずに感光体ドラム１２の表面に残った未転写残留トナーは、感光体ドラムクリーニング装置２０で除去される。
【００４４】
なお、回転式現像装置５０は、回転軸Ｋを中心に矢印Ｂ方向に回転し、形成する画像の色に対応する色の現像器５２Ｙ，５２Ｍ，５２Ｃ、５２Ｋの現像ロール５６Ｙ，５６Ｍ，５６Ｙ，５６Ｋを、順次、現像位置Ｇに移動し、各色の現像を行う。
【００４５】
そして、帯電・露光・現像・１次転写・感光体ドラムクリーニングの各工程が、形成する画像の色に応じて、所定の回数だけ繰り返される。このようにして、中間転写ベルト３０には各色トナー像が多重転写され重ね合わされてフルカラー画像となる。
【００４６】
一方、画像形成部１００の下部には、記録紙Ｐが収容された給紙カセット２２が配置されている。
【００４７】
記録紙Ｐは、給紙ローラ２４によって送り出され、レジストローラ３３によって所定のタイミングで二次転写位置Ｔに送られ、中間転写ベルト３０のフルカラートナー像が、２次転写ロール３２と転写ロール３５とによって、一括して記録紙Ｐに２次転写される。なお、２次転写されずに残った中間転写ベルト３０の未転写残留トナーは、転写ベルトクリーニング装置３７で除去される。
【００４８】
フルカラートナー像が転写した記録紙Ｐは、奥側上部に配置された定着器３６に送られる。定着器３６は熱と圧力とで記録紙Ｐにフルカラートナー像を定着する。フルカラートナー像が定着した記録紙Ｐは、画像形成部１００の上部の排紙トレイ４０に排紙される。
【００４９】
さて、図５に示すように、画像読取部２００全体を回動させて、画像形成部１００の正面側上方から退避させると、画像形成部１００の正面側上方に空間ができる。そして、図１１に示すように、排紙トレイ４０を奥側端部の回動軸４２を中心に回動して開き、トナーカートリッジ５４が交換可能となる。なお、図１１では、トナーカートリッジ５４Ｙの交換を示しているが、その他のトナーカートリッジ５４Ｍ，５４Ｃ，５４Ｋを交換する場合は、回転式現像装置５０を回転させ、各現像器５２を交換可能な位置に移動させることで、交換できる。
【００５０】
つぎに、デジタル複写機１０の画像読取部２００の支持構造（フレーム構成）について説明する。また、図６，図７，図８等は画像形成部１００の各種カバーを外した状態の図である。
【００５１】
なお、以降の説明で、ビス９９で固定する記述がある。この記述に対応する図において、図が煩雑で見にくくなるのを避けるため、ビス９９（及びビス孔）の全ては図示せずに、代表的ないくつかのビス９９（及びビス孔）のみを図示し、その他のビス９９は省略して図示している。
【００５２】
図２と図７とに示すように、第一支柱部３００は、内部に第一支柱５００（図７参照）を備え、この第一支柱５００を第一支柱カバー３０１が覆っている。同様に第二支柱部３０２は、内部に第二支柱６００（図７参照）を備え、この第二支柱６００を第二支柱カバー３０３が覆っている。
【００５３】
図６と図７とに示すように、画像形成部１００の筐体４００は、板金からなる対向する側板４０２，４０４と、対向する側板４０２，４０４の間に架設された複数の橋架板４０６とで構成されている。
【００５４】
一方の側板４０２には、四つの側辺部４１２と底面部４１４とで構成された箱形状の箱部４１０が固定されている。なお、箱部４１０の底面部４１４と側板４０２とが重ね合さるようにビス９９で固定されている。よって、側辺部４１２は側板４０２から立設する構成となる。なお、この箱部４１０の中に電源回路基板（図示略）が取り付けられる。また、電源回路基板は、図４に示す側板４０２を覆う筐体カバー１０２から着脱可能な電源カバー１０４を取り外すことで、客先でも容易に交換可能となっている。
【００５５】
図６と図７とに示すように、箱部４１０の上方には、駆動モータ４２０が固定される。また、側板４０２の裏側（筐体４００の内部）には、駆動モータ４２０によって、駆動力が伝達される複数のギアからなるギア機構（図示略）が固定される。
【００５６】
更に、側板４０２には、複数の板金を折り曲げ接合して形成された第一支柱５００が固定されている。第一支柱５００は、第一支持部５０２とこの第一支持部５０２の下部から水平方向（画像読取部２００と同方向）に延びる第二支持部５０４とから構成され、全体として略Ｌ字状をしている。第一支持部５０２は、上部が開口した中空の四角柱形状の第一箱部５０６と、第一箱部５０６の下部に設けれられ第一箱部５０６より細い中空の四角柱形状の第二箱部５０８と、で構成されている。なお、第一箱部５０６、及び第二箱部５０８とも上下方向が長手方向（軸方向）である。第二支持部５０４は板状をし、第二箱部５０８の下部から水平方向に延びている。
【００５７】
第一支持部５０２は側板４０２にビス９９で固定されている。第二支持部５０４は、箱部４１０の上面となる側辺部４１２Ａに重ね合わせ、ビス９９で固定されている。また、第二支持部５０４は、駆動モータ４２０と干渉しないように避けて固定されている。
【００５８】
他方の側板４０４には、第二支柱６００がビス９９で固定されている。なお、側板４０４には、一方の側板４０２のように、箱部４１０や駆動モータ４２０が固定されていないので、第二支柱６００は側板４０４の下部まで真っ直ぐ延びている。
【００５９】
図９に示すように、第二支柱６００は、二枚の曲げ加工を施された板金６０２と板金６０４とを重ね合わせてビス９９で固定し、中空の略四角柱形状としている。また、上部は二つの部屋部６１０，６１２に分割されている。また、図９（Ｃ）に示すように、一方の板金６０４の端辺部６０４Ａを曲げ、他方の板金６０２とで中空の四角柱形状の角柱部６１４を形成している。なお、第二支柱６００、及び角柱部６１４とも上下方向が長手方向（軸方向）である。
【００６０】
図１０示すように、第一支柱５００の第一支持部５０２の第一箱部５０６の水平断面は、第二支柱６００の水平断面より大きい（太い）。なお、前後方向（図１０の上下方向）の幅は略同じであるが、左右方向が幅広となっている。なお、本実施形態では、第一支柱５００の第一支持部５０２の第一箱部５０６の幅Ｗ１は、第二支柱６００の幅Ｗ２の約二倍となっている。
【００６１】
図８と図１２（Ａ）とに示すように、第一支柱５００の第一箱部５０６の上部の開口５０６Ａと第二支柱６００の上部の開口６１０Ａから、画像読取部２００の奥側の隅部から下方に向かって突出した二本の突出部２２０、２２２（図１２（Ａ）参照）を挿入して、第一箱部５６０、第一部屋部６１０に嵌め、ビス９９で固定する。よって、第一支柱５００と第二支柱６００とが、画像読取部２００を片持状に支持する構成となる。
【００６２】
なお、画像読取部２００は、重い原稿台２０８，走査駆動機構２１２，自動原稿送り装置２０６（図２参照）等を支えるために強固に作られているうえに、更に、内部には二本の突出部２２０、２２２（図１２（Ａ）参照）の間（第一支柱５００と第二支柱６００との間）に、梁や板金などの強度部材を架橋している。よって、このように二つの隅部で、第一支柱５００と第二支柱６００とで片持状に支持されても撓まない。
【００６３】
また、図２と図３とに示すように、前述した、自動原稿送り装置２０６及び読取バー２１０を走査させる走査駆動機構２１２は、いずれも側板４０２側に配置されている。よって、図３に示すように、正面から見ると画像読取部２００の重心位置Ｙ２は、中心線Ｙ１より側板４０２側にある。
【００６４】
前述したように、ヒンジ２２４、２２６（図１２（Ａ）参照）によって、図４と図５とに示すように、画像読取部２００が回動して開く。
【００６５】
図１２に示すように、第一支柱５００の内部には、前述した箱部４１０に取り付けられる電源回路基板（図示略）と画像読取部２００とを繋ぐ電線５３０が通る。
【００６６】
更に、図１３に示すように、第一支柱５００の内部には、検知スイッチ５５０が取り付けられている。この検知スイッチ５５０は、画像形成部１００の奥側上部に配置された定着器３６（図１参照）の外側に設けられる開閉カバー５５２の開閉を検知する。具体的には、図１４に示すように、開閉カバー５５２に形成された突起部５５４が、開閉カバー５５２の開閉に伴い検知スイッチ５５０をオン・オフすることで検知する構成となっている。なお、開閉カバー５５２を開くと（図１４の状態）、電源がオフする。
【００６７】
図４に示すように、筐体４００全体が筐体カバー１０２で覆われる。更に、第一支柱５００は第一支柱カバー３０１で、第二支柱６００は第二支柱カバー３０３で覆われる（図２参照）。
【００６８】
図１６は、第一支柱カバー３０１の内側を示している、なお、第二支柱カバー３０３も、同様の構成をしているので、説明と図示を省略する。
【００６９】
第一支柱カバー３０１の内壁の側壁には第一支柱５００と当接する複数のリブ３０８が形成されている。また、上面には第一支柱５００の上面と当接するリブ３０１が形成されている。更に、画像読取部２００の垂下部２０４の側面２０４Ｂを受ける側面３００Ｂ（図１７参照）側には、第二支柱６００に面で当接するリブ３１４と、このリブ３１４と側面３００Ｂとの間に立設する複数のリブ３１２と、で構成される受リブ３１０が形成されている。
【００７０】
つぎに、本実施形態の作用について説明する。
【００７１】
図１７に示すように、第一支柱部３００の上面３００Ａは、画像読取部２００の奥側隅部を受けている。このため、画像読取部２００は、第一支柱部３００の上面３００Ａを中心に正面側に回転する力が働くが、上面３００Ａより正面側にある第一支柱部３００の側面３００Ｂで、画像読取部２００の垂下部２０４の側面２０４Ｂを受けて支えている。更に、回転中心である支点（上面３００Ａ）と作用点である垂下部２０Ａの側面２０４Ｂを受ける側面３００Ｂとが離れているので、モーメントが大きくなる。このため、回転する方向に大きな力が加わっても、すなわち、重量の重い画像読取部２００であっても、更に、図１５に示すように、画像読取部２００の正面側端部２００Ｄに加重をかけても、支えることができる。したがって、画像読取部２００が略水平状態となる位置を維持できる。また、例えば、画像読取部２００を積載する積載部が無く、第一支持部２００の構成が簡単である。
【００７２】
なお、図１６に示すように、第一支持カバー３０１には、リブ３０８，リブ３０９，受リブ３１０，が形成されているので、第一支柱部３００の上面３００Ａと側面３００Ｂが画像読取部２００の加重を受けても変形しないで、上述した加重を受けることができる。特に、側面３００Ｂには大きな加重がかかるが、受リブ３１０によって、変形せずに受けることができる。
【００７３】
また、上記は、第一支柱部３００について説明したが、反対側の側面の第二支柱部３０２も同様の作用を奏す。
【００７４】
更に、図３、図４に示すように、画像形成部１００と画像読取部２００との間の側面部分は、垂下部２０４、２０５と第一支柱部３００、第二支柱部３０２以外は、あいている。（図３、図４の点線で囲むＲ部分）。したがって、排紙トレイ４０に排紙された記録用紙Ｐを取り出すことが容易であるともに、デザイン的に優れた構成となっている。
【００７５】
また、図１５に模式的に示すように、第一支持部５０２が側板４０２に固定され、略水平方向（画像読取部２００と同方向）に延びた第二支持部５０４が、側板４０２に固定されている箱部４１０に固定されている。よって、箱部４１０も第一支柱５００と一体となって、画像読取部２００を支持している。（箱部４１０も画像読取部２００を支持する構成部品となっている）。したがって、第一支持部５０２、及び第二支持部５０４で構成する三角形領域Ｓ１と箱部４１０の四角領域Ｓ２との広い領域Ｓで画像読取部２００を支えるので、第一支柱５００を側板４０２に固定しても、側板４０２に歪が生じにくい。このため、第一支柱５００を側板４０２に固定しても、画像形成部１００の筐体４００の歪みに起因する画像の品質の低下が生じない。
【００７６】
また、第二支持部５０４が水平方向に延び、第一支柱５００が正面側（図１５では右側）に倒れようとする力に対して、箱部４１０の上面となる側辺部４１２Ａが受ける構成となっている。よって、画像読取部２００が正面側に倒れようとしても支えられる。更に、画像読取部２００の正面側端部２００Ｄを加重をかけても、容易に第一支柱５００は倒れない。また、上述したように、側板４０２も歪みにくい。
【００７７】
更に、このように第一支柱５００は、側板４０２に強固に固定される構成となっているので、第一支柱５００と第二支柱６００とを架設する梁が必要ない。
【００７８】
また、第一支柱５００を側板４０２に強固に固定し、画像読取部２００の加重のほとんどを支えている。このため、第二支柱６００は、第一支柱５００ほど強固に固定しなくても良い。したがって、図６に示すように、第二支柱６００は第一支柱５００のように第二支持部５０４を備えていなくても問題は生じない。つまり、第二支柱６００は、任意の形状にできるので、設計の自由度が高い。
【００７９】
また、図１２に示すように、第一支柱５００の内部に電線５３０が通るとともに、図１３に示すように、第一支柱５００の内部に検知スイッチ５５０が取り付けられている。よって、検知スイッチ５５０の取り付けスペースや電線５３０の取りまわしスペースが別途必要ない。つまり、省スペース化されている。
【００８０】
更に、図１７に示すように、電線５３０はヒンジ２２４の近傍を通って配線されているので、画像読取部２００が開いた状態（図１７（Ｂ）と水平状態（図１７（Ａ））とで、必要とする電線５３０の長さの差が少ない。したがって、画像読取部２００を回動しても、電線５３０がほとんど撓まない。このため、電線５３０が折れ曲がって（座屈して）破損しない。また、電線５３０の取り回し（配線）も容易である。更に、電線５３０が露出していなので、外観上も好ましい。
【００８１】
また、画像形成部１００の筐体４００の側板４０２に第一支柱５００と第二支柱６００とをビス９９で固定し、そして、第一支柱５００の上部の開口５０６Ａと第二支柱６００の上部の開口６１０Ａに、画像読取部２００の奥側の隅部から下方に向かって突出した二本の突出部２２０、２２２を挿入して嵌め、ビス９９で固定することで、容易に組み立てられる。また、画像読取部２００と突出部２２０，２２とをヒンジ２２４、２２６で連結しているので、挿入時において、画像読取部２００の姿勢を任意、例えば、画像読取部２００を立てた状態で、組み付け作業（挿入作業）できるので、作業がやりやすい。
【００８２】
また、画像形成部１００の筐体４００を、そのまま使用して、画像読取部２００を取り付けられる。よって、低コストでデジタル複写機１０を製造できる。
【００８３】
換言すると、画像読取部２００、及び第一支柱５００，第二支柱６００を取り付けないで画像形成部１００単体をプリンターとして製品とすることも容易であるし、本実施形態のように画像形成部１００に画像読取部２００を取り付けてデジタル複写機１０にも容易に拡張できる。
【００８４】
また、いずれもビス９９で固定しているので、容易に着脱可能（分解可能）である。よって、修理やメンテナンスの際に好適である。
【００８５】
尚、本発明は上記実施の形態に限定されない。
【００８６】
例えば、画像読取部２００の下面から垂下した垂下部２０４，２０５は、第一支柱部３００、第二支柱部３０２の側面３００Ｂ，３０２Ｂに当接するように、画像読取部２００の下面に形成されば良く、形状、位置、及び大きさは適宜変更可能である。
【００８７】
また、例えば、上記実施形態の画像形成部１００の構成に限定されない。公知の電子写真方式を利用したその他の構成の画像形成部であっても良い。あるいは、電子写真方式以外の画像形成方式、例えば、ノズルからインク滴を吐出するインクジェット記録ヘッドで画像形成を行う公知のインクジェット記録方式を利用した画像形成部であっても良い。
【００８８】
また、第二支柱６００も第一支柱５００と同様の構成であっても良い。
【図面の簡単な説明】
【００８９】
【図１】本発明の実施形態に係るデジタル複写機を模式的に示す図である。
【図２】デジタル複写機の画像読取部の押さえ板が開いた状態を模式的に示す斜視図である。
【図３】デジタル複写機を正面から見た図である。
【図４】デジタル複写機を側面から見た図である。
【図５】デジタル複写機の画像読取部を回動させて開いた状態の側面図である。
【図６】デジタル複写機のフレーム構成を示す分解図である。
【図７】デジタル複写機のフレーム構成を示す図である。
【図８】第一支柱と第二支柱とに画像読取部を取り付ける図である。
【図９】第二支柱を示し、（Ａ）は二枚の板金を接合する前の状態を示し、（Ｂ）は二枚の板金の接合後を示し、（Ｃ）は（Ｂ）のＣ−Ｃ断面の断面図である。
【図１０】第一支柱の第一支持部、及び第二支柱の断面の太さの違いを示す模式図である。
【図１１】デジタル複写機の画像読取部を回動させて開いた状態において、排紙トレイを開き、トナーカートリッジを交換する様子を模式的に示す図である。
【図１２】第一支柱と第二支柱とに画像読取部を取り付ける様子を示し、（Ａ）は斜め後方から見た図であり、（Ｂ）は（Ａ）の四角部分の拡大図である。
【図１３】（Ａ）は画像読取部が取り付けられていない状態を示した図であり、（Ｂ）は（Ａ）の四角部分の拡大図である。
【図１４】定着器の開閉カバーを開いた状態を示す図である。
【図１５】デジタル複写機のフレーム構成を模式的に示す側面図である。
【図１６】第一支柱カバーの内壁を示す図である。
【図１７】（Ａ）画像読取部が略水平状態の図であり、（Ｂ）画像読取部を回動させて開いた状態図である。
【符号の説明】
【００９０】
１０      画像形成装置
４０      排紙トレイ（画像形成部の上面）
９９      ビス
１００      画像形成部
２００      画像読取部
２０４      垂下部
２２０      突出部（凸部）
２２２      突出部（凸部）
２２４      ヒンジ
２２６      ヒンジ
３００      第一支柱部（支柱部）
３００Ａ    上面
３００Ｂ    側面
３０２      第二支柱部（支柱部）
４００      筐体
４０２      側板（筐体の側面）
４１０      箱部（枠体）
４１２      側辺部（側辺）
５００      第一支柱
５０２      第一支持部
５０４      第二支持部
５０６      第一箱部（挿入部）
５３０      電線
６１０      第一部屋部（挿入部）
【図１】
2006227065.tif 000003
【図２】
2006227065.tif 000004
【図３】
2006227065.tif 000005
【図４】
2006227065.tif 000006
【図５】
2006227065.tif 000007
【図６】
2006227065.tif 000008
【図７】
2006227065.tif 000009
【図８】
2006227065.tif 000010
【図９】
2006227065.tif 000011
【図１０】
2006227065.tif 000012
【図１１】
2006227065.tif 000013
【図１２】
2006227065.tif 000014
【図１３】
2006227065.tif 000015
【図１４】
2006227065.tif 000016
【図１５】
2006227065.tif 000017
【図１６】
2006227065.tif 000018
【図１７】
2006227065.tif 000019